(57)【特許請求の範囲】
【請求項１】
患者の上半身を支えるバックレストと、下半身を支えるコンターシートとから成り、前記バックレストは、上段部、中段部、下段部の３段より構成され、前記中段部は、前記上段部と下段部の間に膨大・収縮可能に挿着され、膨大された時は、前記上段部、中段部、及び、下段部によりバックレストが構成され、収縮された時は、前記上段部と下段部とによりバックレストが構成されることを特徴とする歯科用治療椅子。
【請求項２】
患者の上半身を支えるバックレストと、下半身を支えるコンターシートとから成り、前記コンターシートは、前段部、中段部、後段部の３段より構成され、前記中段部は、前記前段部と後段部の間に膨大・収縮可能に挿着され、膨大された時は、前記前段部、中段部、後段部によりコンターシートが構成され、収縮された時は、前記前段部と後段部によりコンターシートが構成されることを特徴とする歯科用治療椅子。
【請求項３】
前記中段部の膨大・収縮は、該中段部内へ流体を圧入・排出するものであることを特徴とする請求項１又は２に記載の歯科用治療椅子。
【請求項４】
前記上段部及び／又は下段部、及び／又は、前記前段部及び／又は後段部の前記中段部に隣接した側に、該中段部が収縮したときの該中段部を収納する収納スペースを有することを特徴とする請求項１乃至３のいずれかに記載の歯科用治療椅子。
【発明の詳細な説明】
【０００１】
【発明の属する技術分野】
本発明は、歯科用治療用椅子、より詳細には、大人の患者に対しても、子供の患者に対しても、椅子に座った時に患者の体型にフィットするように調整可能にした歯科用治療椅子に関する。
【０００２】
【従来の技術】
図４は、歯科用治療椅子を歯科治療ユニットの一部として構成したときの一例を説明するための構成図で、該歯科用治療ユニットは、治療椅子１、ワークテーブル２、スピットン３、無影灯４、インスツルメントホルダ５、フットスイッチ６、アシスタント用インスツルメントホルダ７等から成り、インスツルメントホルダ５には、歯科治療において使用する種々のインスツルメント８が収納されており、周知のように、歯科治療に当たり、患者は椅子に座り、頭を安頭台に固定して治療を受ける。治療中、術者は治療椅子１を上下動、起倒、傾斜動等させて、患者を治療しやすい姿勢にして治療を行う。
【０００３】
【発明が解決しようとする課題】
しかし、従来の歯科治療ユニットにおいては、歯科治療椅子一台で、大人から子供まで様々な患者に対応しているが、患者の体型はそれぞれ異なるものであり、実際には、それぞれの患者に対応した椅子であることが望ましい。
【０００４】
本発明は、上述のごとき実情に鑑みてなされたもので、一台の歯科治療椅子を、大人と子供とで使い分け可能とし、患者の体型に適した状態にして使用し得る歯科治療椅子を提供することを目的としてなされたものである。
【０００８】
【課題を解決するための手段】
請求項１の発明は、患者の上半身を支えるバックレストと、下半身を支えるコンターシートとから成り、前記バックレストは、上段部、中段部、下段部の３段より構成され、前記中段部は、前記上段部と下段部の間に膨大・収縮可能に挿着され、膨大された時は、前記上段部、中段部、及び、下段部によりバックレストが構成され、収縮された時は、前記上段部と下段部とによりバックレストが構成されることを特徴としたものである。
【０００９】
請求項２の発明は、患者の上半身を支えるバックレストと、下半身を支えるコンターシートとから成り、前記コンターシートは、前段部、中段部、後段部の３段より構成され、前記中段部は、前記前段部と後段部の間に膨大・収縮可能に挿着され、膨大された時は、前記前段部、中段部、後段部によりコンターシートが構成され、収納された時は、前記前段部と後段部によりコンターシートが構成されることを特徴としたものである。
【００１０】
請求項３の発明は、請求項１又は２の発明において、前記中段部の膨大・収縮は、該中段部内へ流体を圧入・排出するものであることを特徴としたものである。
【００１１】
請求項４の発明は、請求項１乃至３のいずれかの発明において、前記上段部及び／又は下段部、及び／又は、前記前段部及び／又は後段部の前記中段部に隣接した側に、該中段部が収縮したときの該中段部を収納する収納スペースを有することを特徴としたものである。
【００１２】
【発明の実施の形態】
図１は、本発明に関連した歯科用治療椅子の一例を説明するための要部概略構成図で、図中、１０はバックレスト部、２０はコンターシート部で、バックレスト部１０は、上段部１１、中段部１２、下段部１３の３段から成り、コンターシート部２０も、前段部２１、中段部２２、後段部２３の３段から成り、中段部１２及び／又は２２（斜線部）が着脱自在に構成されている。
【００１３】
図１（Ａ）は、歯科用治療椅子を大人用（大型）に構成した時の図、図１（Ｂ）は、図１（Ａ）に示した大型の歯科用治療椅子を子供用（小型）の歯科用治療椅子に変える時の様子を示す図、図１（Ｃ）は、歯科用治療椅子を子供用（小型）に構成した時の図で、図１に示した歯科用治療椅子は、患者が大人の時は、図１（Ａ）に示した状態にして、患者が子供の時は、図１（Ｃ）に示した状態にして、すなわち、歯科用治療椅子を患者の体型に合った大きさ（状態）にして歯科治療を行うことができるようになっている。なお、１４，１５は、中段部材１２を取り外した時に、上段部１１と下段部１３を連結する連結棒で、該連結棒１４，１５は、バックレストの背面側に取り付けられており、前述のようにして取り外した中段部１２を、該連結棒１４，１５に装着可能とし、取り外した中段部１２及び／又は２２をバックレスト１０の後側に収納可能にしている。
【００１４】
図２は、本発明による歯科用治療椅子のバックレスト１０の背面図で、図２（Ａ）は、本発明による歯科用治療椅子を大人用に構成した時の図、図２（Ｂ）は、子供用に構成した時の図、図２（Ｃ）及び図２（Ｄ）は、それぞれ図２（Ｂ）のＣ−Ｃ線及びＤ−Ｄ線断面図で、子供用に構成した時に取り外した中段部１２を、前述の連結棒１４，１５に装着・収納した時の図で、例えば、図２（Ｄ）に示すように、上段部１１の背面側には前述の連結棒１４，１５が略半径分はみ出して固定されており、下段部１３の背面側には前記連結棒１４，１５が挿入される管部材１６，１７が略半径分はみ出して固定されており、前述のようにして、中段部１２が取り外された時に、連結棒１４，１５が、それぞれに対向する管部材１６，１７に深く挿入されて、上段部１１と下段部１３とが連結され、連結された後の、連結棒１４，１５及び管部材１６，１７のはみ出し半径部に、取り外した中段部材１２及び／又は２２が装着、収納されるようになっている。なお、この装着を容易にかつより確実に行うために、中段部材１２，２２の装着部（連結棒１４，１５及び管部材１６，１７に取り付ける部分１２ａの部分）に弾性を持たせ、その弾性により取り付けるようにするとよい。
【００１５】
図３は、本発明による歯科用治療椅子の他の実施例を説明するための概略構成図で、図３（Ａ）は、本発明による歯科用治療椅子を大人用（大型）にした時の図、図３（Ｃ）は子供用（小型）にした時の図、図３（Ｂ）は、図３（Ａ）に示した大人用の大型に構成した歯科用治療椅子を、図３（Ｃ）に示した子供用の小型に構成する時の図で、図中、図１に示した例と同様の作用をする部分には、図１の場合と同一の参照番号が付してある。
【００１６】
而して、図３に示した歯科用治療椅子においては、中段部材１２′，２２′は、エアー等の流体を圧入することによって膨大し、流体を排出することによって収納する袋状部材で構成されており、膨大した時には、図３（Ａ）に示した大人用の大型の歯科用治療椅子になり、流体を排出した時には、図３（Ｃ）に示した子供用の小型の歯科用治療椅子になる。バックレスト１０の上段部１１及び／又は下段部１３には、収縮された中間部材１２′を収納するスペース（凹部）１８，１９が設けられており（同様に、コンターシート２０の前段部２１及び／又は後段部２３部にも、収縮された中間部材２２′を収納するスペース（凹部）２８，２９が設けられている）、該中間部材１２′，２２′内の流体が排出された時に、これら、中段部材１２′，２２′を、これら収納スペース内に収納して、図３（Ｃ）に示したような状態にすると、図１に示した例に比して、歯科用治療椅子を子供用にした時の中段部材の取り扱いが非常に楽になる。なお、この実施例においては、中段部材は、図３（Ａ）のコンターシート部の中段部材２２′に破線にて示すように、外見上には１ブロックとするが、内部は１乃至数ブロックにて構成するようにしてもよい。
【００１７】
バックレスト１０における連結棒１４，１５と該連結棒１４，１５と嵌合する管部材１６，１７との関係は、コンターシート２０における連結棒２４，２５と該連結棒２４，２５と嵌合する管部材２６，２７との関係と、全く同様である。また、前述の上段部１１及び前段部２１は手動で動かすようにしてもよいが、電動式、油圧シリンダ、或いは、エアーシリンダに伸縮させるようにしてもよい。
【００１８】
【発明の効果】
以上の説明から明らかなように、本発明によると、単一の歯科用治療椅子を、大人用（大型）と子供用（小型）に変形して、体型にフィットした形態にすることができ、治療椅子を患者に適した状態にして歯科治療を行うことができる。
【図面の簡単な説明】
【図１】本発明に関連した歯科治療椅子の一例を説明するための要部概略構成図である。
【図２】本発明による歯科用治療椅子のバックレストの背面図である。
【図３】本発明による歯科用治療椅子の他の実施例を説明するための概略構成図である。
【図４】従来の歯科治療椅子の使用例を説明するための図である。
【符号の説明】
１…歯科治療椅子、２…ワークテーブル、３…スピットン、４…無影灯、５…インスツルメントホルダ、６…フットスイッチ、７…アシスタント用インスツルメントホルダ、８…インスツルメント、１０…バックレスト、１１…上段部、１２，１２′…中段部、１４，１５，２４，２５…連結棒、１６，１７，２６，２７…連結管、１８，１９，２８，２９…収納スペース、２０…コンターシート、２１…前段部、２２，２２′…中段部、２３…後段部。
【図１】
0003580771.tif 000002
【図２】
0003580771.tif 000003
【図３】
0003580771.tif 000004
【図４】
0003580771.tif 000005